(57)【要約】【課題】二枚の基布がパイルで連結された状態でも、重量が大きくなることを防止するとともに通気性を確保することにより、寝具として利用することが可能となる、編物を提供する。【解決手段】編物１は、平行に位置する二枚の基布２・２と、二枚の基布２・２を連結するパイル３と、を備え、ダブルラッセル編機で編み込まれた編物であって、二枚の基布２・２は、それぞれ縦糸と横糸とで構成され、パイル３は、パイル糸で構成され、二枚の基布２・２は、少なくとも縦糸と横糸とに紡績単糸が用いられる。【選択図】図１
2020045584.tif 000002
【特許請求の範囲】
【請求項１】
平行に位置する二枚の基布と、前記二枚の基布を連結するパイルと、を備え、ダブルラッセル編機で編み込まれた編物であって、
前記二枚の基布は、それぞれ縦糸と横糸とで構成され、
前記パイルは、パイル糸で構成され、
前記二枚の基布は、少なくとも前記縦糸と前記横糸とに紡績単糸が用いられる、編物。
【請求項２】
前記パイルは、前記パイル糸に紡績単糸が用いられる、請求項１に記載の編物。
【請求項３】
前記パイルにおいて、前記パイル糸の本数が周囲よりも少ない部分を備える、請求項１又は請求項２に記載の編物。
【請求項４】
請求項１から請求項３の何れか１項に記載の編物に、加熱処理を施す、編物の製造方法。
【発明の詳細な説明】
【技術分野】
【０００１】
本発明は、寝具等として利用可能な編物及びその製造方法に関する。
【背景技術】
【０００２】
従来、平行に位置する二枚の基布と、二枚の基布を連結するパイルと、を備え、ダブルラッセル編機で編み込まれた編物の構成が提案されている（例えば、特許文献１を参照）。
【先行技術文献】
【特許文献】
【０００３】
【特許文献１】国際公開第２００６／１００７４９号
【発明の概要】
【発明が解決しようとする課題】
【０００４】
前記特許文献１においては、二枚の基布がパイルによって連結された編地を、パイルの中間でカットすることにより編物（カールマイヤー生地）を構成する技術が記載されている。従来、このような編地を編みたてる際には、基布を構成する糸として紡績双糸又はフィラメント糸を採用している。この場合、二枚の基布がパイルで連結された状態（パイルの中間でカットしない状態）のままでは、重量が大きくなるとともに、柔軟性及び通気性が悪くなるため、寝具として利用することが困難であった。
【０００５】
本発明は以上の如き状況に鑑みてなされたものであり、本発明が解決しようとする課題は、二枚の基布がパイルで連結された状態でも、重量が大きくなることを防止するとともに、柔軟性及び通気性を確保することにより、寝具として利用することが可能となる、編物及びその製造方法を提供することである。
【課題を解決するための手段】
【０００６】
以下では、上記課題を解決するための手段を説明する。
【０００７】
本発明に係る編物は、平行に位置する二枚の基布と、前記二枚の基布を連結するパイルと、を備え、ダブルラッセル編機で編み込まれた編物であって、前記二枚の基布は、それぞれ縦糸と横糸とで構成され、前記パイルは、パイル糸で構成され、前記二枚の基布は、少なくとも前記縦糸と前記横糸とに紡績単糸が用いられる。
【０００８】
本発明に係る編物は上記の如く構成することにより、二枚の基布がパイルで連結された状態でも、重量が大きくなることを防止するとともに、柔軟性及び通気性を確保することにより、寝具として利用することが可能となる。
【０００９】
また、本発明に係る編物において、前記パイルは、前記パイル糸に紡績単糸が用いられる。
【００１０】
本発明に係る編物は上記の如く構成することにより、二枚の基布及びパイルの全てを紡績単糸のみで構成することができるため、重量が大きくなることをより防止するとともに、柔軟性及び通気性をさらに確保することが可能となる。
【００１１】
また、本発明に係る編物は、前記パイルにおいて、前記パイル糸の本数が周囲よりも少ない部分を備える。
【００１２】
本発明に係る編物は上記の如く構成することにより、意匠性を向上させることが可能となる。
【００１３】
また、本発明に係る編物の製造方法は、上記編物に加熱処理が施される。
【００１４】
本発明に係る編物の製造方法で製造した編物は、上記の如く構成することにより、嵩高性を向上させることが可能となる。
【発明の効果】
【００１５】
本発明に係る編物によれば、二枚の基布がパイルで連結された状態でも、重量が大きくなることを防止するとともに、柔軟性及び通気性を確保することにより、寝具として利用することが可能となる、という効果を奏する。
【図面の簡単な説明】
【００１６】
【図１】編物の構成を示した断面図。
【発明を実施するための形態】
【００１７】
以下では図１を用いて、本発明の一実施形態に係る編物１について説明する。図１に示す如く編物１は、平行に位置する二枚の基布２・２と、二枚の基布２・２を連結するパイル３と、を備える。編物１は、ダブルラッセル編機により、ループをタテ方向に連続して編み上げていく経編で編み込まれる。
【００１８】
二枚の基布２・２は、それぞれ縦糸と横糸とで構成される。また、パイル３は、パイル糸で構成される。即ち、編物１は五本の糸（それぞれの基布２における縦糸及び横糸、及び、パイル糸）により編みたてられる。詳細には図１に示す如く、布状の基布２・２の間に多数のパイル３がループ状に編み込まれることにより、基布２・２が互いに連結されて一体的な編物１が構成される。
【００１９】
本実施形態に係る編物１においては、二枚の基布２・２は、縦糸と横糸とに紡績単糸が用いられる。紡績単糸は、綿、羊毛、麻、シルク、カシミヤ、アクリル、アンゴラ、ポリエステル、ナイロン等の短繊維のうち、一種類、又は、複数の種類を組み合わせて紡績することにより構成される。
【００２０】
ダブルラッセル編機において紡績単糸を使用した場合、糸の強度不足で切れたり、スナールと呼ばれるよじれが生じたりすることにより、上手く編みたてることができない場合が多い。本願出願人は、ダブルラッセル編機において紡績単糸を用いる際に、縦糸と横糸との引張強度（テンション）を変更するギヤの比率を調節した。これにより、縦糸と横糸との引張強度を、糸が切れることなく、かつ、スナールが生じない程度に調整することが可能となり、紡績単糸を用いて編物１を構成することに成功した。
【００２１】
上記の如く、本実施形態に係る編物１は、二枚の基布２・２の縦糸と横糸とを構成する糸に紡績単糸を採用している。紡績単糸は、二本の糸を撚り合わせて構成する紡績双糸よりも柔らかいため、基布２の柔軟性を向上させることができる。また、紡績双糸よりも軽量な紡績単糸を用いることにより基布２を軽くすることができるため、編物１を全体的に軽量化することができる。さらに、基布２に紡績単糸を用いることにより、編物１の通気性を確保し、肌触りを良く、かつ蒸れにくくすることが可能となる。
【００２２】
上記の如く、編物１においては基布２に紡績単糸を用いることで、二枚の基布２・２がパイル３で連結された状態でも、重量が大きくなることを防止するとともに、柔軟性及び通気性を確保することが可能となる。これにより、編物１を寝具として利用することが可能となるのである。また、編物１は基布２に紡績単糸を採用したことにより高い伸縮性を有するため、使用者の身体に程よくまとわりつくことができる。また、編物１は基布２に紡績単糸を採用することにより速乾性を高めることを可能としている。
【００２３】
また、本実施形態に係る編物１においては、パイル糸にも紡績単糸を採用している。これにより、織物１（二枚の基布２・２及びパイル３）の全てを紡績単糸のみで構成することができるため、編物１の柔軟性及び通気性をさらに向上させ、より軽量化することが可能となる。具体的には、同じ条件で紡績双糸を用いて構成した編物の単位重量が１．１ｋｇ／ｍ２以上であったのに対し、全て紡績単糸を用いた編物１の単位重量を０．３３ｋｇ／ｍ２とすることができた。
【００２４】
また、本実施形態に係る編物１は、パイル３において、パイル糸の本数を周囲よりも少ない部分を備える構成とすることも可能である。これにより、パイル糸の濃淡により編物１に任意のデザインを施すことができるため、編物１の意匠性を向上させることが可能となる。
【００２５】
編物１の製造に際して、上記の如く編みたてた編物１に加熱処理が施すこともできる。これにより、繊維を縮めることで編物１の厚みを大きくすることができるため、編物１の嵩高性を向上させることが可能となる。
【符号の説明】
【００２６】
１        編み物                    
２        基布                      
３        パイル                    
【図１】
2020045584.tif 000003